(57)【要約】【課題】外壁面材とパネルフレームとの連結を、外壁面材の正面側を傷付けることなく行うことができる、外壁パネルにおける外壁面材とパネルフレームとの連結構造を提供する。【解決手段】外壁面材２が中空面材からなり、該面材２の背面部に、中空部５と連通する連結用開口部６が設けられ、該開口部６を通じて中空部２内に突出し外壁面材２に抜止め状態に連結された連結用金物４がパネルフレーム３の側に連結されている。連結用金物３は、バネ弾性を有し、該連結用金物３と外壁面材２とが押し合わされることにより、弾性変形をして、外壁面材２に抜止め状態に連結されるものであるとよい。【選択図】      図１
2006283340.tif 000002
【特許請求の範囲】
【請求項１】
外壁面材が中空面材からなり、該面材の背面部に、中空部と連通する連結用の開口部が設けられ、該開口部を通じて中空部内に突出し外壁面材に抜止め状態に連結された連結用金物がパネルフレームの側に連結されていることを特徴とする、外壁パネルにおける外壁面材とパネルフレームとの連結構造。
【請求項２】
前記連結用金物がバネ弾性を有し、該連結用金物と外壁面材とが押し合わされることにより、連結用金物が、弾性変形をして外壁面材の開口部から中空部内に突出し、突出ののち復元して中空部内の開口部周囲面部の側に張り出し、外壁面材を抜止め状態に連結している請求項１に記載の外壁パネルにおける外壁面材とパネルフレームとの連結構造。
【発明の詳細な説明】
【技術分野】
【０００１】
本発明は、外壁パネルにおける外壁面材とパネルフレームとの連結構造に関する。
【背景技術】
【０００２】
住宅用等の建物に用いられる外壁パネルの外壁面材に窯業系等の外壁面材を用いる場合の外壁パネルの製作方法として、パネルフレームを下、外壁面材を上にして重ね、上からビス打ちをして外壁面材とパネルフレームとを接合する方法があり、この方法では、外壁面材の正面側のビス打ち部分を隠すため、パテ埋めと塗装のタッチアップ処理がなされる。
【０００３】
しかしながら、パテ埋めやタッチアップの処理は厄介であり、また、タッチアップ処理でビス打ちされた部分をきれいに隠しきるのは難しい場合もある。更に、外壁面材の正面側のビス打ち部分に応力の影響でクラックを生じるおそれもある。
【発明の開示】
【発明が解決しようとする課題】
【０００４】
本発明は、上記のような問題点に鑑み、外壁面材とパネルフレームとの連結を、外壁面材の正面側を傷付けることなく行うことができる、外壁パネルにおける外壁面材とパネルフレームとの連結構造を提供することを課題とする。
【課題を解決するための手段】
【０００５】
上記の課題は、外壁面材が中空面材からなり、該面材の背面部に、中空部と連通する連結用の開口部が設けられ、該開口部を通じて中空部内に突出し外壁面材に抜止め状態に連結された連結用金物がパネルフレームの側に連結されていることを特徴とする、外壁パネルにおける外壁面材とパネルフレームとの連結構造によって解決される。
【０００６】
この連結構造では、外壁面材が中空面材からなり、金物と外壁面材との連結を、外壁面材の中空部と、該中空部に連通する背面側の開口部とを利用して行うものであるから、外壁面材の正面側が連結用金物との連結によって傷付けられることがなく、従来のようなパテ埋めやタッチアップ処理の必要がなく、また、外壁面材と金物との連結部に生じる応力が外壁面材の正面側に伝わりにくく、正面側でのクラックの発生のおそれもない。
【０００７】
上記の構造において、連結用金物がバネ弾性を有し、該連結用金物と外壁面材とが押し合わされることにより、連結用金物が、弾性変形をして外壁面材の開口部から中空部内に突出し、突出ののち復元して中空部内の開口部周囲面部の側に張り出し、外壁面材を抜止め状態に連結しているとよい。
【０００８】
この構造では、外壁パネルの製作において、連結用金物を予めパネルフレームに連結しておき、パネルフレームを下、外壁面材を上にし、外壁面材をパネルフレームの上方から降ろしていくことによって、連結用金物と外壁面材とを押し合わせ、連結用金物をその弾性変形と復元によって外壁面材と連結させることができるので、外壁パネルの製作において、外壁面材の正面側を反転させる必要がなく上向きのままにすることができ、外壁面材の正面側を傷付けてしまうおそれがない。
【０００９】
しかも、その場合に、外壁面材の背面側は、連結用の開口部が備えられているだけであり、連結用金物でパネルフレームに連結されるまでは平坦なままであり、外壁面材の保管や待機を容易にすることができる。
【発明の効果】
【００１０】
本発明は、以上のとおりのものであるから、外壁面材とパネルフレームとの連結を、外壁面材の正面側を傷付けることなく行うことができる。
【発明を実施するための最良の形態】
【００１１】
次に、本発明の実施最良形態を図面に基づいて説明する。
【００１２】
図１〜図３に示す第１実施形態の外壁パネル１において、２は外壁面材、３はパネルフレーム、４は連結用金物であり、パネルフレーム３は、図２（ハ）に示すように、鋼製の溝形材を方形環状に組んだものからなっている。
【００１３】
そして、外壁面材２は、窯業系、コンクリート系のものからなっていて、図２（イ）（ロ）に示すように上下方向に延びる複数の中空部５…を並列状態に備えた中空面材からなっており、その背面部には、図２（イ）に示すように、中空部５に連通する方形状の連結用開口部６…が、パネルフレーム３との連結位置に対応するように、複数設けられている。
【００１４】
また、連結用金物４は、金属板の板曲げ成形品などからなって、バネ弾性を有し、図１（イ）（ロ）に示すように、ピース状の溝形をしており、その両側板部４ａ，４ａの先端部には、外方斜め後方に張り出した引っ掛け部４ｃ，４ｃが備えられ、図３（ハ）〜（ホ）に示すように、該金物４が引っ掛け部４ｃ，４ｃの側から外壁面材２の連結用開口部６内に差し込まれていくと、その過程で、両側板部４ａ，４ａが内向きに撓み、両引っ掛け部４ｃ，４ｃが開口部６を通過して中空部５内に入り込むと、両側板部４ａ，４ａが復元して開き、両引っ掛け部４ｃ，４ｃが中空部５内において、開口部６の周囲面部の側に張り出し、外壁面材２に抜止め状態に連結されるようになされている。
【００１５】
なお、本実施形態では、連結用金物４の両側板部４ａ，４ａが、図１（イ）に示すように、外壁面材２に対して上下に配置されると共に、該両側板部４ａ，４ａの左右方向の寸法が、外壁面材２の開口部６の左右方向の寸法よりも小さく設定され、連結用金物４と外壁面材２とに左右方向の相対変位をさせることができるようになされている。
【００１６】
また、連結用金物４には、図１（イ）（ロ）に示すように、その中間板部４ｂにビス通し孔４ｄが設けられ、図３（イ）（ロ）に示すように、該ビス通し孔４ｄを通じてパネルフレーム３にビス７を打つことで、連結用金物４とパネルフレーム３とを連結することができるようになされている。
【００１７】
外壁パネル１は、上記の外壁面材２とパネルフレーム３とを次のようにして連結することにより形成される。即ち、図３（イ）（ロ）に示すように、横に寝かせた状態のパネルフレーム３に対して、その上面側に連結用金物４をビス７で取り付けて連結し、しかる後、図３（ハ）に示すように、パネルフレーム３の上方から、外壁面材２を降ろしていく。すると、図３（ニ）（ホ）に示すように、連結用金物４の両側板部４ａ，４ａが外壁面材２側の連結用開口部６を通じて中空部５内に進出していき、該両側板部４ａ，４ａが上記のように弾性変形と復元をすることによって連結用金物４と外壁面材２とが抜止め状態に連結され、外壁面材２とパネルフレーム３とが連結されて外壁パネル１が形成される。
【００１８】
このように、上記の連結構造では、外壁面材２が中空面材からなり、金物４と外壁面材２との連結を、外壁面材２の中空部５と、該中空部５に連通する背面側の開口部６とを利用して行うものであるから、外壁面材２の正面側が連結用金物４との連結によって傷付けられることがなく、従来のようなパテ埋めやタッチアップ処理の必要がなく、また、外壁面材２と金物４との連結部に生じる応力が外壁面材２の正面側に伝わりにくく、正面側でのクラックの発生のおそれもない。
【００１９】
しかも、本実施形態では、外壁パネルの製作において、連結用金物４を外壁面材２に連結する前にパネルフレーム３に連結し、パネルフレーム３を下、外壁面材２を上にし、外壁面材２をパネルフレーム３の上方から降ろしていくだけで、連結用金物４と外壁面材２とが連結されて外壁パネル１が形成されているので、外壁パネル１の製作過程において、外壁面材２の正面側を上下反転させる必要がなく上向きのままに保つことができて、外壁面材２の正面側を傷付けてしまうおそれがない。のみならず、外壁面材２の背面側は、連結用の開口部６が備えられているだけであり、外壁面材２を該背面部を下にして保管や待機を容易に行うことができる。
【００２０】
なお、上記の外壁パネル１の建方において、図４及び図５に示すように、目地幅固定用の上下の金物８，８を用い、連結用金物４と外壁面材２との上述したような左右方向の相対変位による遊びを利用し、該金物８，８を、隣り合う外壁面材２，２にわたすように各外壁面材２，２の中空部５，５に上下から差し込んだ状態にすれば、外壁面材２，２間の目地幅を一定に保つことができる。
【００２１】
この金物８は、金属板の板曲げ成形品などからなっていて、隣り合う一方の外壁面材２の最側部の中空部５に差し込まれる差し込み部８ａと、もう一方の外壁面材２の最側部の中空部５に差し込まれる差し込み部８ａと、これら差し込み部８ａ，８ａ間の間隔を保持する間隔保持部８ｂを主たる構成部分として備えている。
【００２２】
更に、該金物８には、該金物８を背後の柱９などの下地にビス１０等で固定する取付け部８ｃも備えられ、該取付け部８ｃを背後の柱９などに固定することで、外壁面材２，２の前後方向の動きも規制することができるようになされている。
【００２３】
図６及び図７に示す第２実施形態の構造は、図６（ハ）に示すように、パネルフレーム３に、上下方向に延びるリップ付き溝形材からなるレール材１１，１１が上下の枠３ａ，３ａにわたすように溶接あるいはビス等により取り付けられ、該レール材１１，１１をパネルフレーム３側の連結部としている。
【００２４】
また、連結用金物４は、該レール材１１との連結部を備えており、該連結部は、中間板部４ｂの両側板部４ａ，４ａと直交する位置に対の脚板部４ｅ，４ｅが備えられ、それの先端部には、外方斜め後方に張り出した引っ掛け部４ｆ，４ｆが備えられ、図７（イ）〜（ハ）に示すように、該金物４が引っ掛け部４ｆ，４ｆの側からレール材１１のリップ間開口部内に差し込まれていくと、その過程で、両脚板部４ｅ，４ｅが内向きに撓み、両引っ掛け部４ｆ，４ｆがリップ間開口部を通過して溝内に入り込むと、両脚板部４ｅ，４ｅが復元して開き、両引っ掛け部４ｆ，４ｆが溝内において、リップの内面部に張り出し、レール材１１に抜止め状態に連結されるようになされている。その他は、第１実施形態と同様である。
【００２５】
外壁パネル１の製作は、図７（イ）〜（ハ）に示すように、横に寝かせた状態のパネルフレーム３の上面側に備えられているレール材１１に対して連結用金物４を上記のようにして連結し、しかる後、図７（ニ）（ホ）に示すように、パネルフレーム３の上方から、外壁面材２を降ろしていけば、第１実施形態の場合と同様に、連結用金物４と外壁面材２とが連結され、外壁面材２とパネルフレーム３とが連結されて外壁パネル１が形成される。
【００２６】
本実施形態では、外壁面材２をパネルフレーム３の枠以外の位置でパネルフレーム３に連結するのが好ましいような場合、例えば、開口部があって使用する外壁面材のサイズが小さいような場合などにおいて便利に用いることができる。なお、外壁面材２とパネルフレーム３の上下方向の相対移動は他の手段によって規制するようにすればよい。
【００２７】
以上に、本発明の実施形態を示したが、本発明はこれに限られるものではなく、発明思想を逸脱しない範囲で各種の変更が可能である。例えば、連結用金物の材質や形態に制限はなく、各種材質、形態の金物が用いられてよい。また、外壁面材も中空面材からなっていればよく、その材質や中空部の延びる方向、形態等について制限はない。
【図面の簡単な説明】
【００２８】
【図１】第１実施形態の構造を示すもので、図（イ）は外壁面材と連結用金物とパネルフレームを分離状態にして示す一部断面斜視図、図（ロ）は連結用金物の拡大斜視図、図（ハ）は連結状態の断面側面図、図（ニ）は図（ハ）のＩ−Ｉ線断面矢視図である。
【図２】図（イ）は外壁面材の背面図、図（ロ）は同平面図、図（ハ）はパネルフレームの正面図である。
【図３】図（イ）〜図（ホ）は外壁面材とパネルフレームとの連結方法を順次に示す断面側面図である。
【図４】外壁面材間の目地幅を一定に保つための構造についてのもので、図（イ）は外壁面材と目地幅固定用金物とを分離状態にして示す正面図、図（ロ）は同拡大斜視図である。
【図５】図（イ）は目地幅固定用金物を取り付けた状態の平面図、図（ロ）は外壁面材と目地幅固定用金物とを分離状態にして示す要部拡大正面図、図（ハ）は同断面正面図である。
【図６】第２実施形態の構造を示すもので、図（イ）は外壁面材の背面図、図（ロ）は同平面図、図（ハ）はパネルフレームの背面図、図（ニ）は連結用金物の斜視図である。
【図７】図（イ）〜図（ホ）は外壁面材とパネルフレームとの連結方法を順次に示す断面図である。
【符号の説明】
【００２９】
１…外壁パネル
２…外壁面材
３…パネルフレーム
４…連結用金物
５…中空部
６…連結用開口部
【図１】
2006283340.tif 000003
【図２】
2006283340.tif 000004
【図３】
2006283340.tif 000005
【図４】
2006283340.tif 000006
【図５】
2006283340.tif 000007
【図６】
2006283340.tif 000008
【図７】
2006283340.tif 000009